(57)【要約】      （修正有）【課題】筆記部が筆記位置から後退位置へ後退する際に、レフィールの前方外周面に設けた突部後端と、チップホルダー内孔に設けた係合突部前端とが係合し、チップホルダーは先軸内で引っ掛かってしまうことがなく、設計時に予定していた後退位置まで後退させる。【解決手段】筆記部が筆記位置から後退位置へ後退する際に、レフィールの前方外周面に設けた突部後端と、チップホルダー内孔に設けた係合突部前端とが係合することを特徴とする回転繰出式筆記具。【選択図】図１
2008238539.tif 000002
【特許請求の範囲】
【請求項１】
前端が開口され後端に印判主体を組込んだ筒状の本体と、
前記本体内に固着され、内面に螺旋案内溝を設けた繰出パーツと、
外周面に突設された螺旋案内突起が前記螺旋案内溝に係合して回転しながら前記繰出パーツ内を前後動する第１スライドパーツと、
前記第１スライドパーツの内孔に後端が固着され、第１スライドパーツの前後動に従って協動する第２スライドパーツと、
前記第２スライドパーツの内孔に後端が着脱自在に嵌入され、第２スライドパーツの前後動に従って筆記部が筆記位置と後退位置との間を前進後退するレフィールと、
前記本体に対して回転自在に接続された筒状の先軸と、
前記先軸内に収容され、先軸の回転運動を前記第２スライドパーツに伝達してこの第２スライドパーツを回転させるスライドガイドと、
前記スライドガイドの内孔に後端が遊挿され、前記レフィールを挿通したチップホルダーと、
前記先軸の内孔先端に固着され、前記チップホルダーを一定区間前進後退可能に遊嵌したチップホルダーガイドと、
前記チップホルダーの内孔に設けた段部と前記第２スライドパーツ前端とで挟持され、前記チップホルダーを常時前方へ付勢する第１スプリングと、
前記チップホルダーガイドの後端に設けた凹み部と前記チップホルダーの外周面に設けたフランジとで挟持され、前記第１スプリングより弾発力が小さく、前記チップホルダーを常時後方へ付勢する第２スプリングと、
を設けた回転繰出式筆記具であって、
前記筆記部が筆記位置から後退位置へ後退する際に、前記レフィールの前方外周面に設けた突部と、前記チップホルダー内孔に設けた係合突部と、が係合することを特徴とする回転繰出式筆記具。
【発明の詳細な説明】
【技術分野】
【０００１】
本発明は、本体に対して先軸を回転させることにより筆記部が繰出される、回転繰出式筆記具を提供するものである。
【背景技術】
【０００２】
従来この種の筆記具は、特許文献１が開示されている。この筆記具は、スプリングによって常時退入すべく偏倚された全体の長さを拡大及び縮小する長さ調節用の移動筒と、繰出し機構の作動によって移動筒の先端部より出没するように軸筒内に設けられ、且つ移動筒に一端を支持させたスプリングによって常時退入すべく偏倚されたペン本体を備えたものである。そして、ペン本体を突出させる場合は、回転式の繰出し機構によってペン本体が前進し、ばねの弾発力の強弱によりまず移動筒が繰出され、その後ペン本体が繰出される構成であり、逆にペン本体を没入させる場合は、繰出し機構を逆回転させ、ペン本体はスプリングの弾発力により後方に移動すると共に移動筒もスプリングの弾発力により軸筒内に没入する構成である。
また、特許文献２に開示されている筆記具は、第１らせんばねの弾機力は第２らせんばねのそれより強く設定してあるから、先ず筆記部本体の前進により内筒が、筆記部本体との相対位置を変えることなしに運行されて同様に前進する。次いで筆記部本体が更に前進すると、内筒はその推移が阻止されているので、筆記部本体は第１らせんばねを圧縮しながら前進し、筆記部が内筒の開口を通り抜けて筆記部の先端が軸本体の開口から突出した状態の筆記位置にもたらされるものである。また、筆記部本体が、筆記位置から後退位置に戻される場合には、前記と逆の過程で行われ、すなわち、まず第１らせんばねの反発力により筆記部が内筒内に没入し、次に第２のらせんばねの反発力により内筒は後退位置にもどる構成である。
【特許文献１】実公昭４５−２４９７８号
【特許文献２】特公平３−５６５６０号
【発明の開示】
【発明が解決しようとする課題】
【０００３】
特許文献１および特許文献２は、ともに移動筒あるいは内筒を後退させる場合、スプリングあるいは第２らせんばねの弾発力のみを利用している。よって成型品の寸法のばらつき、ばねの弾発力のばらつき、使用状態等によっては、移動筒あるいは内筒が軸筒や軸本体内で引っ掛かってしまい、設計時に予定していた移動筒あるいは内筒の後退位置まで後退しない不具合が生じていた。
【課題を解決するための手段】
【０００４】
上記の課題を解決するために完成された本発明は、前端が開口され後端に印判主体を組込んだ筒状の本体と、前記本体内に固着され、内面に螺旋案内溝を設けた繰出パーツと、外周面に突設された螺旋案内突起が前記螺旋案内溝に係合して回転しながら前記繰出パーツ内を前後動する第１スライドパーツと、前記第１スライドパーツの内孔に後端が固着され、第１スライドパーツの前後動に従って協動する第２スライドパーツと、前記第２スライドパーツの内孔に後端が着脱自在に嵌入され、第２スライドパーツの前後動に従って筆記部が筆記位置と後退位置との間を前進後退するレフィールと、前記本体に対して回転自在に接続された筒状の先軸と、前記先軸内に収容され、先軸の回転運動を前記第２スライドパーツに伝達してこの第２スライドパーツを回転させるスライドガイドと、前記スライドガイドの内孔に後端が遊挿され、前記レフィールを挿通したチップホルダーと、前記先軸の内孔先端に固着され、前記チップホルダーを一定区間前進後退可能に遊嵌したチップホルダーガイドと、前記チップホルダーの内孔に設けた段部と前記第２スライドパーツ前端とで挟持され、前記チップホルダーを常時前方へ付勢する第１スプリングと、前記チップホルダーガイドの後端に設けた凹み部と前記チップホルダーの外周面に設けたフランジとで挟持され、前記第１スプリングより弾発力が小さく、前記チップホルダーを常時後方へ付勢する第２スプリングと、を設けた回転繰出式筆記具であって、前記筆記部が筆記位置から後退位置へ後退する際に、前記レフィールの前方外周面に設けた突部と、前記チップホルダー内孔に設けた係合突部と、が係合することを特徴とする回転繰出式筆記具である。
【発明の効果】
【０００５】
本発明は、筆記部が筆記位置から後退位置へ後退する際に、前記レフィールの前方外周面に設けた突部後端と、前記チップホルダー内孔に設けた係合突部前端とが係合するため、チップホルダーは先軸内で引っ掛かってしまうことがなく、設計時に予定していた後退位置まで後退することができる。
【発明を実施するための最良の形態】
【０００６】
本発明を実施するための最良の形態について、図１から図５を参照しながら具体的に説明する。尚、本発明で「前」あるいは「先」とは筆記部側を指し、「後」とは印判主体側を指す。また、「軸方向」とは、前後方向のことを指す。
本体（１）は、両端が開口された筒状である。本体（１）の略前端内に、両端が開口された筒状の繰出パーツ（２）が、圧入嵌合や接着剤などにより固着されている。繰出パーツ（２）の筒径は、軸方向略中央部分が前端部分より太く形成された繰出パーツ大径部（２２）を設けており、当該繰出パーツ大径部（２２）外周面と本体前端内周面が、圧入や接着により固着し、前記の通り、本体（１）と繰出パーツ（２）が固着される。繰出パーツ（２）略後方部分内周壁には、軸方向に対して斜めに切溝を切り欠いた螺旋案内溝（２１）を、ほぼ３６０度範囲にわたって形成する。螺旋案内溝（２１）は、繰出パーツ（２）内周壁に細長いくぼみ状に掘って設けてもよいし、当該壁面を貫いて外周面側に突き抜けるように、貫通させて設けてもよい。
前記螺旋案内溝（２１）は、第２図螺旋案内溝展開図に示したように、軸方向に対して垂直方向に向かう溝からなる後退位置安定部（２１Ａ）と、後退位置安定部（２１Ａ）より前方に位置した左前方に傾いた溝からなる第１繰出傾斜部（２１Ｂ）と、第１繰出傾斜部（２１Ｂ）より前方に位置した左前方に傾いた溝からなる第２繰出傾斜部（２１Ｄ）と、第２繰出傾斜部（２１Ｄ）より前方に位置した軸方向に対して垂直方向に向かう溝からなる筆記位置安定部（２１Ｅ）から形成され、第１繰出傾斜部（２１Ｂ）と第２繰出傾斜部（２１Ｄ）の境には、前方に突出した境界溝からなる係止部（２１Ｃ）が形成されている。後退位置安定部（２１Ａ）、筆記位置安定部（２１Ｅ）の各終端に、後方へ向かって窪み（２１Ｆ）を設けてもよい。尚、螺旋案内溝展開図は紙面右上から左下に向かう溝からなるが、右下から左上に向かう溝であっても同じ効果が得られる。
次に、この繰出パーツ（２）内で前後動する第１スライドパーツ（３）を設ける。第１スライドパーツ（３）は、筒状をなし外周面には案内突起（３１）が突設されて、これが螺旋案内溝（２１）に係合しており、よって第１スライドパーツ（３）は回転することにより前後動する。
第１スライドパーツ（３）内孔には、両端が開口された筒状の第２スライドパーツ（４）の後端が、圧入嵌合や接着剤などにより固着されている。そのため、第２スライドパーツ（４）は、第１スライドパーツ（３）と協動する。第２スライドパーツ（４）は前方に大径部を形成し、当該大径部外周には軸方向に突条（４１）を形成し、これが後述するスライドガイド（７）とスプライン嵌合して回転駆動される。ここで協動とは、他の部品と協同して一緒に動くことをいう。また、スプライン嵌合とは、溝を切った穴と、それに対応する形状の軸とを組合わせることをいう。
第２スライドパーツ（４）内孔には、レフィール（５）の後端部が着脱自在に嵌入される。レフィール（５）は、先端に筆記部（５１）を有する。レフィール（５）は、第１スライドパーツ（３）と第２スライドパーツ（４）と協動する。レフィール（５）の前方外周面には、突部（５２）を設ける。この突部（５２）は、後述するチップホルダー（８）内孔に設けた係合突部（８５）と係合する。突部（５２）は、レフィール（５）外周面に予め成型して設けたり、ゴム環あるいは成型体のような別部材を所定位置に固着させてもよい。
ここで、第１スライドパーツ（３）と第２スライドパーツ（４）とを固着する方法は、別部材で繋ぐ構成であってもよい。例えば、筒状のレフィールホルダーを用いて、レフィールホルダーの後端を第１スライドパーツ（３）の内孔に嵌入し、レフィールホルダーの略前方を第２スライドパーツ（４）の内孔に嵌入することで、第１スライドパーツ（３）と第２スライドパーツ（４）とを固着することができる。この場合、レフィール（５）の後端部は、レフィールホルダーの内孔と着脱自在に嵌入される。
第２スライドパーツ（４）前方を、両端が開口された筒状のスライドガイド（７）内孔に収容する。スライドガイド（７）内周壁には、軸方向に縦溝（７１）が設けられており、第２スライドパーツ（４）前方に設けた突条（４１）が、前述の通りスプライン嵌合する。このスプライン嵌合により、後述する先軸の回転運動が、第２スライドパーツ（４）に確実に伝達されるとともに、第２スライドパーツ（４）は、スライドガイド（７）に対して前後動可能となっている。
スライドガイド（７）は、両端が開口された筒状のジョイントパーツ（１２）の略前端内に圧入嵌合や接着剤などにより固着されている。ジョイントパーツ（１２）の略後端内周壁に設けた回転用突起（１２１）は、前記繰出パーツ（２）略前方の繰出パーツ小径部（２３）に設けた回転用溝（２４）と、回転自在でかつ容易に抜去されないように係合している。
ジョイントパーツ（１２）は、両端が開口された筒状の先軸（６）の後端開口部に固着された先軸固定パーツ（１３）と、圧入あるいは螺合により着脱自在に嵌合される。これにより、先軸（６）は、本体（１）に対して回転自在に接続される。
スライドガイド（７）の略前方には、両端が開口された筒状のチップホルダー（８）が遊挿されている。チップホルダー（８）は、後端外周面に大径部となるフランジ（８１）と、略中央外周面に小径部（８２）と、内孔略前方に段部（８３）と、当該段部（８３）より前方に係合突部（８５）を有し、レフィール（５）が挿通されている。前記小径部（８２）の前方端は、係止壁（８４）を有し、後述するチップホルダーガイド（９）の抜け止めに用いられる。係合突部（８５）の前端は、前記レフィール（５）の突部（５２）後端と係合する。係合突部（８５）は、突部（５２）より必ず後方に位置する。
チップホルダー（８）の略前方は、両端が開口された筒状のチップホルダーガイド（９）内孔に遊嵌される。チップホルダーガイド（９）は、前記先軸（６）の内孔先端に固着され、後端内周壁には、前記チップホルダー（８）を抜け止めする、係止突起（９１）を有している。係止突起（９１）は、チップホルダー（８）が前進後退する際に、小径部（８２）の前後区間内に位置する。すなわち、係止突起（９１）は、チップホルダー（８）が前進する際フランジ（８１）前端と当接し、後進する際係止壁（８４）と当接する。これにより、チップホルダー（８）は、係止壁（８４）とフランジ（８１）前端で定められた一定区間を前進後退可能に、チップホルダーガイド（９）内孔に遊嵌される。
次に、チップホルダー（８）に設けた前記段部（８３）と、第２スライドパーツ（４）前端との間に、第１スプリング（１０）が挟持される。第１スプリング（１０）は、チップホルダー（８）を常時前方へ付勢する。これにより、第２スライドパーツ（４）と協動するレフィール（５）は、チップホルダー（８）内を、前進後退可能に収容される。
チップホルダー（８）は、レフィール（５）を挿通した状態で、チップホルダーガイド（９）内孔に一定区間前進後退可能に遊嵌する。チップホルダーガイド（９）は、後端に凹み部（９２）が設けられ、この凹み部（９２）とチップホルダー（８）の外周面に設けたフランジ（８１）との間に、第２スプリング（１１）が挟持される。第２スプリング（１１）は、チップホルダー（８）を常時後方へ付勢する。第２スプリング（１１）は、第１スプリング（１０）より弾発力が小さく設定されている。
本体（１）の後方には、印判主体（１４）を着脱自在に嵌挿し、後端に印判キャップ（１５）を着脱自在に被装する。印判主体（１４）は、連続気孔を有する多孔質ゴムよりなる印字体と当該印字体の前面に接触するインキ吸蔵体を主筒に収容し、主筒後方で受金により保持してあり、後端には印字体の印面が露呈しているものである。又、主筒の前方には前記インキ吸蔵体にインキを供給するためのインキカートリッジを着脱自在に取付けてあり、主筒の前端にはそのインキカートリッジの着脱を行うための摘み部が露呈している。この印判主体（１４）は、印面を後ろ向きにして摘み部の前面が本体（１）の内周面に当接するように本体（１）内に圧入嵌合により着脱自在に取付けられている。このような構成の印判主体（１４）は、例えば、公知の連続捺印可能な印判や筆記具後端に印判を備えた印判付筆記具等に組み付けられる印判主体（例えば、特開平９−３９３５３号や特開平１０−１７５３５９号に開示された印判部）をそのまま流用することができる。ここで、印判主体（１４）は、本体（１）の内部に筒状のカツラバネを嵌挿しておき、このカツラバネの内側に突出させた波状部で嵌挿してもよい。
ここで、本体（１）、先軸（６）、ジョイントパーツ（１２）、先軸固定パーツ（１３）、印判キャップ（１５）の材質は、真鍮やステンレスのような金属や、ポリエチレン、ポリプロピレン、ポリ塩化ビニル、ポリスチレン、ポリ酢酸ビニル、ＡＢＳ樹脂、ポリアミド、ポリアセタール（ＰＯＭ）、ポリカーボネート（ＰＣ）、ポリブチレンテレフタレート（ＰＢＴ）ポリエチレンテレフタレート（ＰＥＴ）等の合成樹脂を採用できる。
また、繰出パーツ（２）、第１スライドパーツ（３）、第２スライドパーツ（４）、スライドガイド（７）、チップホルダー（８）、チップホルダーガイド（９）の材質は、ポリエチレン、ポリプロピレン、ポリ塩化ビニル、ポリスチレン、ポリ酢酸ビニル、ＡＢＳ樹脂、ポリアミド、ポリアセタール（ＰＯＭ）、ポリカーボネート（ＰＣ）、ポリブチレンテレフタレート（ＰＢＴ）ポリエチレンテレフタレート（ＰＥＴ）等の合成樹脂を採用できる。第１スプリング（１０）、第２スプリング（１１）の材質は、鋼、ステンレス等の金属や、プラスチック等の合成樹脂や、ゴムを採用できる。
また、協動する部品についてまとめると、本体（１）、繰出パーツ（２）、印判本体（４）、印判主体（１４）、印判キャップ（１５）は協動する。先軸（６）、スライドガイド（７）、チップホルダーガイド（９）、ジョイントパーツ（１２）、先軸固定パーツ（１３）は協動する。第１スライドパーツ（３）、第２スライドパーツ（４）、レフィール（５）は協動する。
【０００７】
次に、前記筆記具において、筆記部（５１）を後退位置から筆記位置まで前進させる作動態様について、詳細に説明する。ここで後退位置とは、第１スライドパーツ（３）の案内突起（３１）が後退位置安定部（２１Ａ）に位置し、チップホルダー（８）先端は先軸（６）先端内孔に収容され、筆記部（５１）先端はチップホルダー（８）先端内孔に収容されている位置をいう（第４図ａ、第５図ａ参照）。
本体（１）に対して先軸（６）を回転させると、回転運動はスライドガイド（７）を介して第２スライドパーツ（４）に伝達される。そして、第２スライドパーツ（４）と協動する第１スライドパーツ（３）は、繰出パーツ（２）の螺旋案内溝（２１）に案内突起（３１）が係合されているため、第１スライドパーツ（３）の案内突起（３１）は、螺旋案内溝（２１）に沿って回転を開始する。回転を継続させることで、案内突起（３１）が、後退位置安定部（２１Ａ）から第１繰出傾斜部（２１Ｂ）へ導出されると、案内突起（３１）は、第１繰出傾斜部（２１Ｂ）に沿って前進し、係止部（２１Ｃ）へ到達する。この到達した位置を、第１繰出位置とする。この位置からさらに回転を継続させると、案内突起（３１）が、係止部（２１Ｃ）から第２繰出傾斜部（２１Ｄ）へ導出され、案内突起（３１）は、第２繰出傾斜部（２１Ｄ）に沿って前進し、筆記位置安定部（２１Ｅ）へ到達する。第１スプリング（１０）の働きで、案内突起（３１）は、常時螺旋案内溝（２１）の後方壁に押さえ付けられながら前進する。そのため、第１繰出傾斜部（２１Ｂ）から係止部（２１Ｃ）へ移行する際、第１スプリング（１０）の弾発力で後方へ弾かれる瞬間にクリック感が生じ、その後第１繰出位置で係止する。また、後退位置安定部（２１Ａ）、筆記位置安定部（２１Ｅ）の各終端に、後方へ向かって窪みを設けた場合、同様のクリック感が生じることに加え、後退位置、筆記位置での係止状態を安定させる働きも生じる。
前記作動により、第１スライドパーツ（３）と協動する、第２スライドパーツ（４）およびレフィール（５）は、筆記位置に向かって前進する。その際、第１スプリング（１０）の弾発力は、第２スプリング（１１）より強く設定されているため、第２スライドパーツ（４）の前進により、チップホルダー（８）は、第２スライドパーツ（４）との相対位置を変えることなしに運行されて、同様に前進する。この動きにより、チップホルダー（８）は、先軸（６）先端から徐々に突出することとなり、フランジ（８１）前端とチップホルダーガイド（９）に設けた係止突起（９１）とが当接するまで前進し、当接後前進は阻止される（第４図ｂ、第５図ｂ参照）。この状態に至るまで、チップホルダー（８）は第２スライドパーツ（４）との相対位置を変えることなしに運行されているため、第２スライドパーツ（４）と協動するレフィール（５）に設けた筆記部（５１）は、チップホルダー（８）先端から突出することはない。
次いで、第２スライドパーツ（４）がさらに前進すると、チップホルダー（８）は前記したようにその前進が阻止されているので、第２スライドパーツ（４）は第１スプリング（１０）を圧縮しながら、前進し、チップホルダー（８）から筆記部（５１）が突出した状態の筆記位置に至る。このように、本体（１）に対して先軸（６）を回転させることで、まずチップホルダー（８）が繰出され、次いで筆記部（５１）が繰出されるといった、いわゆる２段階繰出し機構が達成される。
ここで、チップホルダー（８）の前進が阻止される前の状態の位置あるいは同位置に、前記第１繰出位置がくるように設計すると、チップホルダー（８）のみが先軸（６）先端から突出した状態で係止することができる。
【０００８】
次に、前記筆記位置から、後退位置に戻される場合の作動態様について、詳細に説明する。ここで筆記位置とは、第１スライドパーツ（３）の案内突起（３１）が筆記位置安定部（２１Ｅ）に位置し、チップホルダー（８）先端は先軸（６）先端内孔から突出し、筆記部（５１）先端はチップホルダー（８）先端内孔から突出している位置をいう（第４図ｃ、第５図ｃ参照）。
作動態様は、前記と逆の過程で行われる。
本体（１）に対して先軸（６）を逆回転させると、回転運動はスライドガイド（７）を介して第２スライドパーツ（４）に伝達される。そして、第２スライドパーツ（４）と協動する第１スライドパーツ（３）は、繰出パーツ（２）の螺旋案内溝（２１）に案内突起（３１）が係合されているため、第１スライドパーツ（３）の案内突起（３１）は、螺旋案内溝（２１）に沿って回転を開始する。回転を継続させることで、案内突起（３１）が、筆記位置安定部（２１Ｅ）から第２繰出傾斜部（２１Ｄ）へ導出されると、案内突起（３１）は、第２繰出傾斜部（２１Ｄ）に沿って後退し、前記第１繰出位置である係止部（２１Ｃ）へ到達する。この位置からさらに逆回転を継続させると、案内突起（３１）が、係止部（２１Ｃ）から第１繰出傾斜部（２１Ｂ）へ導出され、案内突起（３１）は、第１繰出傾斜部（２１Ｂ）に沿って後退し、筆記位置安定部（２１Ａ）へ到達する。本作動時、案内突起（３１）は、常時螺旋案内溝（２１）の前方壁に押さえ付けられながら後退する。
前記作動により、第１スライドパーツ（３）と協動する、第２スライドパーツ（４）およびレフィール（５）は、後退位置に向かって後退する。その際、第１スプリング（１０）の弾発力は、第２スプリング（１１）より強く設定されているため、まず第１スプリング（１０）の弾発力により第１繰出位置の状態に戻る。この作動により、筆記部（５１）はチップホルダー（８）先端内孔に徐々に収容され、第１繰出位置の状態にまで戻る。第１スライドパーツ（３）をさらに後退させると、第１スプリング（１０）が弛緩し、圧縮状態にある第２スプリング（１１）の弾発力が第１スプリング（１０）より勝ったときから、第２スプリング（１１）の弾発力によりチップホルダー（８）の後退が始まる。そして、チップホルダー（８）は、筆記部（５１）を先端内孔に収容した状態で後退させられ、後退位置にまで戻る。このとき、前記レフィール（５）の前方外周面に設けた突部（５２）後端と、チップホルダー（８）内孔に設けた係合突部（８５）前端とが係合するため、レフィール（５）とチップホルダー（８）は前記係合後、協動して後退する。このため、チップホルダー（８）後退用の駆動力を、設計上比較的弱い弾発力のスプリングを選択せざるを得ない第２スプリング（１１）のみに依存するのではなく、突部（５２）と係合突部（８５）との係合で補完することができる。
尚、レフィール（５）の移動ストロークは、螺旋案内溝（２１）の軸方向への移動距離で適宜調整することが可能である。また、先軸（６）先端からチップホルダー（８）が突出する距離は、小径部（８２）の前後区間距離で適宜調整することが可能である。チップホルダー（８）先端から筆記部（５１）が突出する距離は、後退位置における、チップホルダー（８）後端から第２スライドパーツ（４）前端までの距離で適宜調整することが可能である。
【０００９】
尚、本発明を前記実施例により説明したが、本発明は前記実施形態に限定されるものではなく、本発明の要旨を逸脱しない範囲内で種々の改良、変形が可能であることは勿論である。
【図面の簡単な説明】
【００１０】
【図１】本発明筆記具の断面図
【図２】螺旋案内溝展開図
【図３】本発明筆記具の一部断面図
【図４】本発明実施例の要部図
【図５】本発明実施例の要部断面図
【符号の説明】
【００１１】
１  本体
２  繰出パーツ
２１  螺旋案内溝
２１Ａ  後退位置安定部
２１Ｂ  第１繰出傾斜部
２１Ｃ  係止部
２１Ｄ  第２繰出傾斜部
２１Ｅ  筆記位置安定部
２２  繰出パーツ大径部
２３  繰出パーツ小径部
２４  回転用溝
３  第１スライドパーツ
３１  案内突起
４  第２スライドパーツ
４１  突条
５  レフィール
５１  筆記部
５２  突部
６  先軸
７  スライドガイド
７１  縦溝
８  チップホルダー
８１  フランジ
８２  小径部
８３  段部
８４  係止壁
８５  係合突部
９  チップホルダーガイド
９１  係止突起
９２  凹み部
１０  第１スプリング
１１  第２スプリング
１２  ジョイントパーツ
１２１  回転用突起
１３  先軸固定パーツ
１４  印判主体
１５  印判キャップ
【図１】
2008238539.tif 000003
【図２】
2008238539.tif 000004
【図３】
2008238539.tif 000005
【図４】
2008238539.tif 000006
【図５】
2008238539.tif 000007